【手続補正書】
【提出日】平成28年3月25日(2016.3.25)
【手続補正１】
【補正対象書類名】明細書
【補正対象項目名】００１２
【補正方法】変更
【補正の内容】
【００１２】
本発明に係るスプリンクラ消火設備の制御装置は、火災感知手段と、加圧送水装置と、予作動弁と、該予作動弁の一次側に設けられて基端側に加圧送水装置が接続される一次側配管と、前記予作動弁の二次側に設けられてスプリンクラヘッドが接続される二次側配管と、平常時に前記二次側配管内を負圧にする真空ポンプと、前記二次側配管と前記真空ポンプとを接続する真空配管と、を具備するスプリンクラ消火設備に用いられるスプリンクラ消火設備の制御装置であって、前記火災感知手段の作動に基づいて火災判断を行う火災判断手段と、前記火災判断手段の火災判断結果のみに基づいて前記予作動弁を開放するシングルロック方式、あるいは、前記火災判断手段の火災判断結果及び前記スプリンクラヘッドの開栓を検出するヘッド作動検出手段による前記スプリンクラヘッドの開栓の検出の両方を以て前記予作動弁を開放するダブルロック方式、のいずれかを設定する条件設定手段と、前記ヘッド作動検出手段による前記スプリンクラヘッドの開栓の検出のみに基づいて前記予作動弁を開放する単独モード、あるいは、少なくとも前記火災判断手段の火災判断結果に基づいて前記予作動弁を開放する通常モード、のいずれかを設定する運転モード設定手段と、を備え、前記条件設定手段が前記シングルロック方式に設定され、前記運転モード設定手段が前記通常モードに設定された状態で、前記火災判断手段が火災と判断した場合、あるいは、前記条件設定手段が前記ダブルロック方式に設定され、前記運転モード設定手段が前記通常モードに設定された状態で、前記火災判断手段が火災と判断し、前記ヘッド作動検出手段が前記スプリンクラヘッドの開栓を検出した場合、あるいは、前記運転モード設定手段が前記単独モードに設定された状態で、前記ヘッド作動検出手段が前記スプリンクラヘッドの開栓を検出した場合、のいずれかの場合に前記予作動弁を開放するように制御するものである。
【手続補正２】
【補正対象書類名】明細書
【補正対象項目名】００１３
【補正方法】変更
【補正の内容】
【００１３】
また、本発明に係るスプリンクラ消火設備の制御装置は、前記条件設定手段が、記憶手段に予め記憶され、設定権限を有さない第三者に操作されないように管理されたプログラム、あるいは、施錠されて第三者に操作されないように管理されたスイッチ、のいずれかであるものである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００２０
【補正方法】変更
【補正の内容】
【００２０】
また、本発明は、設定権限を有さない第三者が条件設定手段を操作できないように管理することができるので、設定権限を有さない第三者に充水条件が変更されることを防止することができる。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００３２
【補正方法】変更
【補正の内容】
【００３２】
図２は、本発明の実施の形態１に係るスプリング消火設備における消火システム制御盤のブロック図である。
消火システム制御盤５は、制御部５ａ、記憶部５ｂ、警報部・表示部５ｃ、条件設定手段である充水条件設定部５ｄ、運転モード設定手段である運転モード設定部５ｅ、伝送部５ｆ、及び、入力部５ｇを備えている。
【手続補正１１】
【補正対象書類名】明細書
【補正対象項目名】００５４
【補正方法】変更
【補正の内容】
【００５４】
火災信号を受信した消火システム制御盤５は、条件設定手段である充水条件設定部５ｄがシングルロック方式に設定されているのか、あるいは、ダブルロック方式に設定いるのかを判断する（ステップＳ１０３）。なお、充水条件設定部５ｄは、設置したスプリンクラ消火設備に応じて、予め、シングルロック方式かダブルロック方式かのいずれかに設定される。充水条件設定部５ｄがシングルロック方式に設定されている場合、消火システム制御盤５は、予作動弁２２を開放する（ステップＳ１０６）。
【手続補正１２】
【補正対象書類名】明細書
【補正対象項目名】００６６
【補正方法】変更
【補正の内容】
【００６６】
火災信号を受信した消火システム制御盤５は、条件設定手段である充水条件設定部５ｄがシングルロック方式に設定されているのか、あるいは、ダブルロック方式に設定いるのかを判断する（ステップＳ３０３）。なお、充水条件設定部５ｄは、設置したスプリンクラ消火設備に応じて予め、シングルロック方式かダブルロック方式かのいずれかに設定される。充水条件設定部５ｄがシングルロック方式に設定されている場合、消火システム制御盤５は、真空配管遮断手段である開閉弁２６０を閉止する制御を行う（ステップＳ３０６）。そして、消火システム制御盤５は、開閉弁２６０の閉止を確認した場合（リミットスイッチ信号を確認した場合等、ステップＳ３０７）、あるいは開閉弁２６０の閉止を確認できなくとも、開閉弁２６０を閉止する制御を行ってから所定時間が経過した場合（ステップＳ３０８）、予作動弁２２を開放する（ステップＳ３０９）。
また、充水条件設定部５ｄがダブルロック方式に設定されている場合、ステップＳ３０４，Ｓ３０５において、ヘッド作動検出手段（圧力スイッチ３１、圧力上昇スイッチ３２）からの信号に基づいてスプリンクラヘッド２が開栓したか否かの判断がさらに行われる。詳しくは、圧力スイッチ３１が作動した場合、つまり、二次側配管１２及び真空枝管１７が所定の圧力以上となった場合（ステップＳ３０４）、または、圧力上昇スイッチ３２が作動した場合、つまり、二次側配管１２及び真空枝管１７の単位時間当たりの圧力上昇（圧力の上昇率）が所定値以上となった場合（ステップＳ３０５）、火災によりスプリンクラヘッド２が開栓したとして、消火システム制御盤５は、真空配管遮断手段である開閉弁２６０を閉止する制御を行う（ステップＳ３０６）。そして、消火システム制御盤５は、開閉弁２６０の閉止を確認した場合（リミットスイッチ信号を確認した場合等、ステップＳ３０７）、あるいは開閉弁２６０の閉止を確認できなくとも、開閉弁２６０を閉止する制御を行ってから所定時間が経過した場合（ステップＳ３０８）、予作動弁２２を開放する（ステップＳ３０９）。圧力スイッチ３１及び圧力上昇スイッチ３２が作動していない場合は監視動作を継続し、ステップＳ３００に戻る。
なお、図６に示した制御フローの場合、開閉弁２６０の閉止に時間がかかるとステップ３０７でのロスタイムが大きくなって放水開始が遅れてしまい、火災が拡大する前の初期消火に失敗する虞があるので、開閉弁２６０は速動型であることが望ましい。
【手続補正１３】
【補正対象書類名】明細書
【補正対象項目名】００８３
【補正方法】変更
【補正の内容】
【００８３】
１  防護区画、２  スプリンクラヘッド、３  火災感知器（火災感知手段）、４  火災受信機（火災判断手段）、５  消火システム制御盤、５ａ  制御部、５ｂ  記憶部、５ｃ  警報部・表示部、５ｄ  充水条件設定部（条件設定手段）、５ｅ  運転モード設定部（運転モード設定手段）、５ｆ  伝送部、５ｇ  入力部、５１  中継器、７  消火ポンプ制御盤、８  真空ポンプ制御盤、１０  防火水槽、１１  一次側配管、１２  二次側配管、１３  立ち下がり配管、１４  真空本管、１５  排水配管、１６  真空配管導入部、１７  真空枝管、１８，１８０  バイパス配管、２１  加圧送水装置、２２  予作動弁、２２ａ  流水検知スイッチ（流水検出手段）、２２ｂ  遠隔起動弁、２３  流量制限手段、２４  真空ポンプ、２５  末端試験弁、２６  三方弁（真空配管遮断手段及び急速吸引用開閉手段）、２６ａ  固定部、２６ａ１  接続口、２６ａ２  接続口、２６ｂ，２６ｃ  可動部、２６ｂ１，２６ｃ１  接続流路、２６０  開閉弁（真空配管遮断手段）、２６１  開閉弁（急速吸引用開閉手段）、２７  逆止弁、３１  圧力スイッチ（ヘッド作動検出手段）、３２  圧力上昇スイッチ（圧力上昇率検出手段、ヘッド作動検出手段）、３３  オリフィス（差圧発生手段）、８１  圧力スイッチ。
【手続補正１４】
【補正対象書類名】特許請求の範囲
【補正対象項目名】全文
【補正方法】変更
【補正の内容】
【特許請求の範囲】
【請求項１】
火災感知手段と、加圧送水装置と、予作動弁と、該予作動弁の一次側に設けられて基端側に加圧送水装置が接続される一次側配管と、前記予作動弁の二次側に設けられてスプリンクラヘッドが接続される二次側配管と、平常時に前記二次側配管内を負圧にする真空ポンプと、前記二次側配管と前記真空ポンプとを接続する真空配管と、を具備するスプリンクラ消火設備に用いられるスプリンクラ消火設備の制御装置であって、
前記火災感知手段の作動に基づいて火災判断を行う火災判断手段と、
前記火災判断手段の火災判断結果のみに基づいて前記予作動弁を開放するシングルロック方式、あるいは、前記火災判断手段の火災判断結果及び前記スプリンクラヘッドの開栓を検出するヘッド作動検出手段による前記スプリンクラヘッドの開栓の検出の両方を以て前記予作動弁を開放するダブルロック方式、のいずれかを設定する条件設定手段と、
前記ヘッド作動検出手段による前記スプリンクラヘッドの開栓の検出のみに基づいて前記予作動弁を開放する単独モード、あるいは、少なくとも前記火災判断手段の火災判断結果に基づいて前記予作動弁を開放する通常モード、のいずれかを設定する運転モード設定手段と、
を備え、
前記条件設定手段が前記シングルロック方式に設定され、前記運転モード設定手段が前記通常モードに設定された状態で、前記火災判断手段が火災と判断した場合、
あるいは、前記条件設定手段が前記ダブルロック方式に設定され、前記運転モード設定手段が前記通常モードに設定された状態で、前記火災判断手段が火災と判断し、前記ヘッド作動検出手段が前記スプリンクラヘッドの開栓を検出した場合、
あるいは、前記運転モード設定手段が前記単独モードに設定された状態で、前記ヘッド作動検出手段が前記スプリンクラヘッドの開栓を検出した場合、
のいずれかの場合に前記予作動弁を開放するように制御することを特徴とするスプリンクラ消火設備の制御装置。
【請求項２】
前記条件設定手段は、記憶手段に予め記憶され、設定権限を有さない第三者に操作されないように管理されたプログラム、あるいは、施錠されて第三者に操作されないように管理されたスイッチ、のいずれかであることを特徴とする請求項１に記載のスプリンクラ消火設備の制御装置。
【請求項３】
前記運転モード設定手段は、
前記火災判断手段から、点検中、故障中、連動遮断中のいずれかの信号を受信したとき、あるいは、単独モードとする手動操作が行われたときのいずれかの場合に前記単独モードに設定することを特徴とする請求項１又は請求項２に記載のスプリンクラ消火設備の制御装置。
【請求項４】
前記予作動弁が開放していない状態で、前記ヘッド作動検出手段が前記スプリンクラヘッドの開栓を検出した際、前記二次側配管の圧力が異常上昇したことを警報する警報部を備えたことを特徴とする請求項１〜請求項３のいずれか一項に記載のスプリンクラ消火設備の制御装置。